(57)【要約】【課題】低外気温度での暖房運転時においてもコールドドラフト現象の発生や、冷凍サイクルの大幅な乱れを防ぎ、快適空間を作ることができる天井埋込形空気調和機を提供する。【解決手段】吸込み口（図示せず）の周囲に配された吹出し口（図示せず）と、吹出し温度を検出する室内吹出し温度検出手段１６を有し、暖房運転中に吹出し温度が、所定の温度Ｔ１以下になった場合に、吹出し口から吹出した空気を吸込み口に導くショートサーキットを発生させ、吹出し温度が所定の温度Ｔ１以上となった時に、吹出し口から吹出した空気を外周方向へ導くもので、低外気温での暖房運転時において、室外熱交換器１２の着霜等による蒸発能力低下で、凝縮温度が低下し吹出し温度が低くなった場合には、ショートサーキットによりコールドドラフト現象を防止して、吹出し温度を素早く上昇させて、設定温度に素早く到達させることができる。【選択図】図２
2011052848.tif 000002
【特許請求の範囲】
【請求項１】
中央に吸込み口を、その吸込み口の周囲に吹出し口をそれぞれ配したパネルと、吹出し温度を検出する室内吹出し温度検出手段を有し、暖房運転中に前記室内吹出し温度検出手段が検出した吹出し温度が、所定の温度Ｔ１以下になった場合に、前記吹出し口から吹出した空気を前記吸込み口に導くショートサーキットを発生させ、前記吹出し温度検出手段が検出した吹出し温度が前記所定の温度Ｔ１以上となった時に、前記吹出し口から吹出した空気を外周方向へ導くことを特徴とした天井埋込形空気調和機。
【請求項２】
中央に吸込み口を、その吸込み口の周囲に吹出し口をそれぞれ配したパネルと、吹出し温度を検出する室内吹出し温度検出手段と、前吹出し口から吹出した空気を前記吸込み口に導くショートサーキットの運転時間を計測するショートサーキットタイマーとを有し、暖房運転中に、前記室内吹出し温度検出手段が検出した吹出し温度が、所定の温度Ｔ１以下となった場合に、前記ショートサーキットタイマーを起動するとともに、前記ショートサーキットを発生させ、前記ショートサーキットタイマーが所定の時間を計時し終えると、前記吹出し口から吹出した空気を外周方向へ導くことを特徴とした天井埋込形空気調和機。
【請求項３】
中央に吸込み口を、その吸込み口の周囲に吹出し口をそれぞれ配したパネルと、吹出し温度を検出する室内吹出し温度検出手段と、室内熱交換器温度を検出する室内熱交換器温度検出手段とを有し、暖房運転中に、前記室内吹出し温度検出手段が検出した吹出し温度が所定の温度Ｔ１以下となった場合に、前記吹出し口から吹出した空気を前記吸込み口に導くショートサーキットを発生させ、前記室内熱交換器温度検出手段が検出した室内熱交換器温度が所定の温度Ｔ２以上となった時に、前記吹出し口から吹出した空気を外周方向へ導くことを特徴とした天井埋込形空気調和機。
【請求項４】
中央に吸込み口を、その吸込み口の周囲に吹出し口をそれぞれ配したパネルと、吹出し温度を検出する室内吹出し温度検出手段と、室内吸込み温度を検出する室内吸込み温度検出手段とを有し、暖房運転中に、前記室内吹出し温度検出手段が検出した吹出し温度が所定の温度Ｔ１以下で、且つ前記室内吸込み温度検出手段が検出した室内吸込み温度と前記吹出し温度との差が所定の温度差Ｋ１以下となった場合に、前記吹出し口から吹出した空気を前記吸込み口に導くショートサーキットを発生させ、前記吹出し温度検出手段が検出した吹出し温度が前記所定の温度Ｔ１以上となった時に、前記吹出し口から吹出した空気を外周方向へ導くことを特徴とした天井埋込形空気調和機。
【請求項５】
中央に吸込み口を、その吸込み口の周囲に吹出し口をそれぞれ配したパネルと、吹出し温度を検出する室内吹出し温度検出手段と、室内吸込み温度を検出する室内吸込み温度検出手段と、前記吹出し口から吹出した空気を前記吸込み口に導くショートサーキットの運転時間を計時するショートサーキットタイマーとを有し、暖房運転中に、前記室内吹出し温度検出手段が検出した吹出し温度が所定の温度Ｔ１以下で、且つ前記室内吸込み温度検出手段が検出した室内吸込み温度と前記吹出し温度との差が所定の温度差Ｋ１以下となった場合に、前記ショートサーキットタイマーを起動するとともに、前記ショートサーキットを発生させ、前記ショートサーキットタイマーが所定の時間を計時し終えると、前記吹出し口から吹出した空気を外周方向へ導くことを特徴とした天井埋込形空気調和機。
【請求項６】
中央に吸込み口を、その吸込み口の周囲に吹出し口をそれぞれ配したパネルと、吹出し温度を検出する室内吹出し温度検出手段と、室内吸込み温度を検出する室内吸込み温度検出手段と、室内熱交換器温度を検出する室内熱交換器温度検出手段とを有し、暖房運転中に、前記室内吹出し温度検出手段が検出した吹出し温度が所定の温度Ｔ１以下で、且つ前記室内吸込み温度検出手段が検出した室内吸込み温度と前記吹出し温度との差が所定の温度
差Ｋ１以下となった場合に、前記吹出し口から吹出した空気を前記吸込み口に導くショートサーキットを発生させ、前記室内熱交換器温度検出手段が検出した室内熱交換器温度が所定の温度Ｔ２以上となった時に、前記吹出し口から吹出した空気を外周方向へ導くことを特徴とした天井埋込形空気調和機。
【請求項７】
中央に吸込み口を、その吸込口の周囲に吹出し口をそれぞれ配したパネルと、室内熱交換器温度を検出する室内熱交換器温度検出手段を有し、暖房運転中に室内熱交換器温度が所定の温度Ｔ２以下となった場合に、前記吹出し口から吹出した空気を前記吸込み口に導くショートサーキットを発生させ、前記室内熱交換器温度が前記所定の温度Ｔ２以上となった時に、前記吹出し口から吹出した空気を外周方向へ導くことを特徴とした天井埋込形空気調和機。
【請求項８】
中央に吸込み口を、その吸込み口の周囲に吹出し口をそれぞれ配したパネルと、室内熱交換器温度を検出する室内熱交換器温度検出手段と、前記吹出し口から吹出した空気を前記吸込み口に導くショートサーキットの運転時間を計時するショートサーキットタイマーとを有し、暖房運転中に、前記室内熱交換器温度が所定の温度Ｔ２以下となった場合に、前記ショートサーキットタイマーを起動するとともに、前記ショートサーキットを発生させ、前記ショートサーキットタイマーが所定の時間を計時し終えると、前記吹出し口から吹出した空気を外周方向へ導くことを特徴とした天井埋込形空気調和機。
【請求項９】
中央に吸込み口を、その吸込み口の周囲に吹出し口をそれぞれ配したパネルと、吐出圧力を検出する吐出圧力検出手段を有し、暖房運転中に、前記吐出圧力が所定の圧力以下となった場合に、前記吹出し口から吹出した空気を前記吸込み口に導くショートサーキットを発生させることにより前記吐出圧力を上昇させ、前記吐出圧力が所定の圧力以上となった時に、前記吹出し口から吹出した空気を外周方向へ導くことを特徴とした天井埋込形空気調和機。
【請求項１０】
中央に吸込み口を、その吸込み口の周囲に吹出し口をそれぞれ配したパネルと、吐出圧力を検出する吐出圧力検出手段と、前記吹出し口から吹出した空気を前記吸込み口に導くショートサーキットの運転時間を計時するショートサーキットタイマーとを有し、暖房運転中に、前記吐出圧力が所定の圧力以下となった場合に、前記ショートサーキットタイマーを起動するとともに、前記ショートサーキットを発生させることにより前記吐出圧力を上昇させ、前記ショートサーキットタイマーが所定の時間を計時し終えると、前記吹出し口から吹出した空気を外周方向へ導くことを特徴とした天井埋込形空気調和機。
【請求項１１】
暖房運転中に、吸い込み温度が所定の温度Ｔ３以上の場合は、ショートサーキットさせることなく吹出し口から吹出した空気を外周方向へ導くことを特徴とした請求項１〜１０のいずれか１項に記載の天井埋込形空気調和機。
【請求項１２】
室内温度を設定するリモコンを有し、暖房運転中に、前記リモコンの設定温度と吸い込み温度が所定の温度差Ｋ２以下の場合は、ショートサーキットさせることなく吹出し口から吹出した空気を外周方向へ導くことを特徴とした請求項１〜１０のいずれか１項に記載の天井埋込形空気調和機。
【請求項１３】
外気温度を検出する外気温度検出手段を有し、暖房運転中に、前記外気温度検出手段が検出した外気温度が所定の温度Ｔ４以上の場合は、ショートサーキットさせることなく吹出し口から吹出した空気を外周方向へ導くことを特徴とした請求項１〜１０のいずれか１項に記載の天井埋込形空気調和機。
【発明の詳細な説明】
【技術分野】
【０００１】
本発明は、天井埋込形空気調和機に関するもので、特に、天井埋込形空気調和機の制御に関するものである。
【背景技術】
【０００２】
従来のこの種の天井埋込形空気調和機として、暖房運転中、室内機の吹出し温度が低下した際のコールドドラフト現象を防ぐため、圧縮機の回転数を上昇させると共に風向変更により風量を下げることによって、室内吹出し温度を上昇させるようにしたものがある（例えば、特許文献１参照）。
【０００３】
また、暖房運転中や順サイクル除霜中に、室内機の吹出し温度が低下した際のコールドドラフト現象を防ぐため、室内ファンを停止するようにしたものがある（例えば、特許文献２参照）。
【先行技術文献】
【特許文献】
【０００４】
【特許文献１】特開昭６２−１３８６３９号公報
【特許文献２】特開平３−１２９２７４号公報
【発明の概要】
【発明が解決しようとする課題】
【０００５】
しかしながら、上記特許文献１に開示されたような従来の天井埋込形空気調和機の構成では、冬季の外気温度が著しく低く、且つ湿度が高い状態の場合、蒸発器が目詰まりを起こし蒸発能力が低下するため風向変更による風量低下や圧縮機の回転数の上昇では、凝縮温度を維持できないという課題があった。
【０００６】
また、上記特許文献２に開示されたような従来の天井埋込形空気調和機の構成では、室内ファンの停止による凝縮温度の異常上昇など、冷凍サイクルの大幅な乱れにより不安定な状態になるという課題があった。
【０００７】
本発明は、上記従来の課題を解決し、低外気温度での暖房運転時においてもコールドドラフト現象の発生や、冷凍サイクルの大幅な乱れを防ぎ、快適空間を作ることができる天井埋込形空気調和機を提供することを目的とする。
【課題を解決するための手段】
【０００８】
前記従来の課題を解決するために、本発明の天井埋込形空気調和機は、中央に吸込み口を、その吸込み口の周囲に吹出し口をそれぞれ配したパネルと、吹出し温度を検出する室内吹出し温度検出手段を有し、暖房運転中に前記室内吹出し温度検出手段が検出した吹出し温度が、所定の温度Ｔ１以下になった場合に、前記吹出し口から吹出した空気を前記吸込み口に導くショートサーキットを発生させ、前記吹出し温度検出手段が検出した吹出し温度が前記所定の温度Ｔ１以上となった時に、前記吹出し口から吹出した空気を外周方向へ導くもので、冬季の低外気温での暖房運転時において、室外熱交換器の着霜等による蒸発能力低下の影響を受けて、凝縮温度が低下し吹出し温度が低くなった場合には、ショートサーキットによりコールドドラフト現象を防止できると共に、吹出し温度を素早く上昇させることができる。また、吹出し温度を監視してショートサーキットを回避できるので、素早く設定温度に到達させることができる。
【０００９】
また、本発明の天井埋込形空気調和機は、中央に吸込み口を、その吸込み口の周囲に吹出し口をそれぞれ配したパネルと、吹出し温度を検出する室内吹出し温度検出手段と、前吹出し口から吹出した空気を前記吸込み口に導くショートサーキットの運転時間を計測するショートサーキットタイマーとを有し、暖房運転中に、前記室内吹出し温度検出手段が検出した吹出し温度が、所定の温度Ｔ１以下となった場合に、前記ショートサーキットタイマーを起動するとともに、前記ショートサーキットを発生させ、前記ショートサーキットタイマーが所定の時間を計時し終えると、前記吹出し口から吹出した空気を外周方向へ導くもので、冬季の低外気温での暖房運転時において、室外熱交換器の着霜等による蒸発能力低下の影響を受けて、凝縮温度が低下し吹出し温度が低くなった場合には、ショートサーキットによりコールドドラフト現象を防止できると共に、吹出し温度を素早く上昇させることができる。また、所定の時間を経過すると、ショートサーキットを回避するので、圧縮機に異常な負荷をかけることなく素早く設定温度に到達させることができる。
【００１０】
また、本発明の天井埋込形空気調和機は、中央に吸込み口を、その吸込み口の周囲に吹出し口をそれぞれ配したパネルと、吹出し温度を検出する室内吹出し温度検出手段と、室内熱交換器温度を検出する室内熱交換器温度検出手段とを有し、暖房運転中に、前記室内吹出し温度検出手段が検出した吹出し温度が所定の温度Ｔ１以下となった場合に、前記吹出し口から吹出した空気を前記吸込み口に導くショートサーキットを発生させ、前記室内熱交換器温度検出手段が検出した室内熱交換器温度が所定の温度Ｔ２以上となった時に、前記吹出し口から吹出した空気を外周方向へ導くもので、冬季の低外気温での暖房運転時において、室外熱交換器の着霜等による蒸発能力低下の影響を受けて、凝縮温度が低下し吹出し温度が低くなった場合には、ショートサーキットによりコールドドラフト現象を防止できると共に、吹出し温度を素早く上昇させることができる。また、室内熱交換器温度を監視してショートサーキットを回避できるので、圧縮機に異常な負荷をかけることなく良好な運転ができる。
【００１１】
また、本発明の天井埋込形空気調和機は、中央に吸込み口を、その吸込み口の周囲に吹出し口をそれぞれ配したパネルと、吹出し温度を検出する室内吹出し温度検出手段と、室内吸込み温度を検出する室内吸込み温度検出手段とを有し、暖房運転中に、前記室内吹出し温度検出手段が検出した吹出し温度が所定の温度Ｔ１以下で、且つ前記室内吸込み温度検出手段が検出した室内吸込み温度と前記吹出し温度との差が所定の温度差Ｋ１以下となった場合に、前記吹出し口から吹出した空気を前記吸込み口に導くショートサーキットを発生させ、前記吹出し温度検出手段が検出した吹出し温度が前記所定の温度Ｔ１以上となった時に、前記吹出し口から吹出した空気を外周方向へ導くもので、冬季の低外気温での暖房運転時において、室外熱交換器の着霜等による蒸発能力低下の影響を受けて、凝縮温度が低下し吹出し温度と室内吸込み温度との差が小さくなり且つ、吹出し温度が低くなった場合には、ショートサーキットによりコールドドラフト現象を防止できると共に、吹出し温度を素早く上昇させることができる。また、吹出し温度を監視してショートサーキットを回避できるので、素早く設定温度に到達させることができる。
【００１２】
また、本発明の天井埋込形空気調和機は、中央に吸込み口を、その吸込み口の周囲に吹出し口をそれぞれ配したパネルと、吹出し温度を検出する室内吹出し温度検出手段と、室内吸込み温度を検出する室内吸込み温度検出手段と、前記吹出し口から吹出した空気を前記吸込み口に導くショートサーキットの運転時間を計時するショートサーキットタイマーとを有し、暖房運転中に、前記室内吹出し温度検出手段が検出した吹出し温度が所定の温度Ｔ１以下で、且つ前記室内吸込み温度検出手段が検出した室内吸込み温度と前記吹出し温度との差が所定の温度差Ｋ１以下となった場合に、前記ショートサーキットタイマーを起動するとともに、前記ショートサーキットを発生させ、前記ショートサーキットタイマーが所定の時間を計時し終えると、前記吹出し口から吹出した空気を外周方向へ導くもので、冬季の低外気温での暖房起動時において、室外熱交換器の着霜等による蒸発能力低下
の影響を受けて、凝縮温度が低下し吹出し温度と室内吸込み温度との差が小さくなり且つ、吹出し温度が低くなった場合には、ショートサーキットによりコールドドラフト現象を防止できると共に、吹出し温度を素早く上昇させることができる。また、所定の時間を経過すると、ショートサーキットを回避するので、圧縮機に異常な負荷をかけることなく素早く設定温度に到達させることができる。
【００１３】
また、本発明の天井埋込形空気調和機は、中央に吸込み口を、その吸込み口の周囲に吹出し口をそれぞれ配したパネルと、吹出し温度を検出する室内吹出し温度検出手段と、室内吸込み温度を検出する室内吸込み温度検出手段と、室内熱交換器温度を検出する室内熱交換器温度検出手段とを有し、暖房運転中に、前記室内吹出し温度検出手段が検出した吹出し温度が所定の温度Ｔ１以下で、且つ前記室内吸込み温度検出手段が検出した室内吸込み温度と前記吹出し温度との差が所定の温度差Ｋ１以下となった場合に、前記吹出し口から吹出した空気を前記吸込み口に導くショートサーキットを発生させ、前記室内熱交換器温度検出手段が検出した室内熱交換器温度が所定の温度Ｔ２以上となった時に、前記吹出し口から吹出した空気を外周方向へ導くもので、冬季の低外気温での暖房起動時において、室外熱交換器の着霜等による蒸発能力低下の影響を受けて、凝縮温度が低下し吹出し温度と室内吸込み温度との差が小さくなり且つ、吹出し温度が低くなった場合には、ショートサーキットによりコールドドラフト現象を防止できると共に、吹出し温度を素早く上昇させることができる。また、室内熱交換器温度を監視してショートサーキットを回避できるので、圧縮機に異常な負荷をかけることなく良好な運転ができる。
【００１４】
また、本発明の天井埋込形空気調和機は、中央に吸込み口を、その吸込口の周囲に吹出し口をそれぞれ配したパネルと、室内熱交換器温度を検出する室内熱交換器温度検出手段を有し、暖房運転中に室内熱交換器温度が所定の温度Ｔ２以下となった場合に、前記吹出し口から吹出した空気を前記吸込み口に導くショートサーキットを発生させ、前記室内熱交換器温度が前記所定の温度Ｔ２以上となった時に、前記吹出し口から吹出した空気を外周方向へ導くもので、冬季の低外気温での暖房運転時において、室外熱交換器の着霜等による蒸発能力低下の影響を受けて、室内熱交換器温度が低下した場合には、室内吹出し温度も低下するため、ショートサーキットによりコールドドラフト現象を防止できると共に、室内熱交換器温度を素早く上昇させることができる。また、室内熱交換器温度を監視してショートサーキットを回避できるので、素早く設定温度に到達させることができる。
【００１５】
また、本発明の天井埋込形空気調和機は、中央に吸込み口を、その吸込み口の周囲に吹出し口をそれぞれ配したパネルと、室内熱交換器温度を検出する室内熱交換器温度検出手段と、前記吹出し口から吹出した空気を前記吸込み口に導くショートサーキットの運転時間を計時するショートサーキットタイマーとを有し、暖房運転中に、前記室内熱交換器温度が所定の温度Ｔ２以下となった場合に、前記ショートサーキットタイマーを起動するとともに、前記ショートサーキットを発生させ、前記ショートサーキットタイマーが所定の時間を計時し終えると、前記吹出し口から吹出した空気を外周方向へ導くもので、冬季の低外気温での暖房運転時において、室外熱交換器の着霜等による蒸発能力低下の影響を受けて、室内熱交換器温度が低下した場合には、室内吹出し温度も低下するため、ショートサーキットによりコールドドラフト現象を防止できると共に、室内熱交換器温度を素早く上昇させることができる。また、所定の時間を経過すると、ショートサーキットを回避するので、圧縮機に異常な負荷をかけることなく素早く設定温度に到達させることができる。
【００１６】
また、本発明の天井埋込形空気調和機は、中央に吸込み口を、その吸込み口の周囲に吹出し口をそれぞれ配したパネルと、吐出圧力を検出する吐出圧力検出手段を有し、暖房運転中に、前記吐出圧力が所定の圧力以下となった場合に、前記吹出し口から吹出した空気を前記吸込み口に導くショートサーキットを発生させることにより前記吐出圧力を上昇さ
せ、前記吐出圧力が所定の圧力以上となった時に、前記吹出し口から吹出した空気を外周方向へ導くもので、冬季の低外気温での暖房運転時において、室外熱交換器の着霜等による蒸発能力低下の影響を受けて、吐出圧力が低下した場合には、ショートサーキットによりコールドドラフト現象を防止できると共に、吐出圧力を素早く上昇させることができる。また、圧力監視により温度検知に比べて応答性が良化するため、圧縮機に異常な負荷をかけることがない上に、快適な空間を提供できる。
【００１７】
また、本発明の天井埋込形空気調和機は、中央に吸込み口を、その吸込み口の周囲に吹出し口をそれぞれ配したパネルと、吐出圧力を検出する吐出圧力検出手段と、前記吹出し口から吹出した空気を前記吸込み口に導くショートサーキットの運転時間を計時するショートサーキットタイマーとを有し、暖房運転中に、前記吐出圧力が所定の圧力以下となった場合に、前記ショートサーキットタイマーを起動するとともに、前記ショートサーキットを発生させることにより前記吐出圧力を上昇させ、前記ショートサーキットタイマーが所定の時間を計時し終えると、前記吹出し口から吹出した空気を外周方向へ導くもので、冬季の低外気温での暖房運転時において、室外熱交換器の着霜等による蒸発能力低下の影響を受けて、吐出圧力が低下した場合には、ショートサーキットによりコールドドラフト現象を防止できると共に、吐出圧力を素早く上昇させることができる。また、圧力監視により温度検知に比べて応答性が良化するため、圧縮機に異常な負荷をかけることがない上に、快適な空間を提供できる。
【発明の効果】
【００１８】
本発明の天井埋込形空気調和機は、暖房運転時の室内及び室外の負荷を判断することによりショートサーキットするか否かを判断し、ショートサーキットする際には、運転中に冷凍サイクルの監視によりショートサーキットを解除するため、低外気温度での暖房運転時においてもコールドドラフト現象の発生や冷凍サイクルの大幅な乱れを防ぐことができる。
【図面の簡単な説明】
【００１９】
【図１】本発明の実施の形態１における天井埋込形空気調和機の概略構成を示す断面図
【図２】同天井埋込形空気調和機の冷凍サイクル図
【図３】同天井埋込形空気調和機の制御方法を示すフローチャート
【図４】本発明の実施の形態２における天井埋込形空気調和機の冷凍サイクル図
【図５】同天井埋込形空気調和機の制御方法を示すフローチャート
【図６】本発明の実施の形態３における天井埋込形空気調和機の冷凍サイクル図
【図７】同天井埋込形空気調和機の制御方法を示すフローチャート
【図８】本発明の実施の形態４における天井埋込形空気調和機の冷凍サイクル図
【図９】同天井埋込形空気調和機の制御方法を示すフローチャート
【図１０】本発明の実施の形態５における天井埋込形空気調和機の冷凍サイクル図
【図１１】同天井埋込形空気調和機の制御方法を示すフローチャート
【図１２】本発明の実施の形態６における天井埋込形空気調和機の冷凍サイクル図
【図１３】同天井埋込形空気調和機の制御方法を示すフローチャート
【図１４】本発明の実施の形態７における天井埋込形空気調和機の制御方法を示すフローチャート
【図１５】本発明の実施の形態８における天井埋込形空気調和機の冷凍サイクル図
【図１６】同天井埋込形空気調和機の制御方法を示すフローチャート
【図１７】本発明の実施の形態９における天井埋込形空気調和機の冷凍サイクル図
【図１８】同天井埋込形空気調和機の制御方法を示すフローチャート
【図１９】本発明の実施の形態１０における天井埋込形空気調和機の冷凍サイクル図
【図２０】同天井埋込形空気調和機の制御方法を示すフローチャート
【図２１】本発明の実施の形態１１における天井埋込形空気調和機の制御方法を示すフローチャート
【図２２】本発明の実施の形態１２における天井埋込形空気調和機の冷凍サイクル図
【図２３】同天井埋込形空気調和機の制御方法を示すフローチャート
【図２４】本発明の実施の形態１３における天井埋込形空気調和機の冷凍サイクル図
【図２５】同天井埋込形空気調和機の制御方法を示すフローチャート
【発明を実施するための形態】
【００２０】
第１の発明は、中央に吸込み口を、その吸込み口の周囲に吹出し口をそれぞれ配したパネルと、吹出し温度を検出する室内吹出し温度検出手段を有し、暖房運転中に前記室内吹出し温度検出手段が検出した吹出し温度が、所定の温度Ｔ１以下になった場合に、前記吹出し口から吹出した空気を前記吸込み口に導くショートサーキットを発生させ、前記吹出し温度検出手段が検出した吹出し温度が前記所定の温度Ｔ１以上となった時に、前記吹出し口から吹出した空気を外周方向へ導くもので、冬季の低外気温での暖房運転時において、室外熱交換器の着霜等による蒸発能力低下の影響を受けて、凝縮温度が低下し吹出し温度が低くなった場合には、ショートサーキットによりコールドドラフト現象を防止できると共に、吹出し温度を素早く上昇させることができる。また、吹出し温度を監視してショートサーキットを回避できるので、素早く設定温度に到達させることができる。
【００２１】
第２の発明は、中央に吸込み口を、その吸込み口の周囲に吹出し口をそれぞれ配したパネルと、吹出し温度を検出する室内吹出し温度検出手段と、前吹出し口から吹出した空気を前記吸込み口に導くショートサーキットの運転時間を計測するショートサーキットタイマーとを有し、暖房運転中に、前記室内吹出し温度検出手段が検出した吹出し温度が、所定の温度Ｔ１以下となった場合に、前記ショートサーキットタイマーを起動するとともに、前記ショートサーキットを発生させ、前記ショートサーキットタイマーが所定の時間を計時し終えると、前記吹出し口から吹出した空気を外周方向へ導くもので、冬季の低外気温での暖房運転時において、室外熱交換器の着霜等による蒸発能力低下の影響を受けて、凝縮温度が低下し吹出し温度が低くなった場合には、ショートサーキットによりコールドドラフト現象を防止できると共に、吹出し温度を素早く上昇させることができる。また、所定の時間を経過すると、ショートサーキットを回避するので、圧縮機に異常な負荷をかけることなく素早く設定温度に到達させることができる。
【００２２】
第３の発明は、中央に吸込み口を、その吸込み口の周囲に吹出し口をそれぞれ配したパネルと、吹出し温度を検出する室内吹出し温度検出手段と、室内熱交換器温度を検出する室内熱交換器温度検出手段とを有し、暖房運転中に、前記室内吹出し温度検出手段が検出した吹出し温度が所定の温度Ｔ１以下となった場合に、前記吹出し口から吹出した空気を前記吸込み口に導くショートサーキットを発生させ、前記室内熱交換器温度検出手段が検出した室内熱交換器温度が所定の温度Ｔ２以上となった時に、前記吹出し口から吹出した空気を外周方向へ導くもので、冬季の低外気温での暖房運転時において、室外熱交換器の着霜等による蒸発能力低下の影響を受けて、凝縮温度が低下し吹出し温度が低くなった場合には、ショートサーキットによりコールドドラフト現象を防止できると共に、吹出し温度を素早く上昇させることができる。また、室内熱交換器温度を監視してショートサーキットを回避できるので、圧縮機に異常な負荷をかけることなく良好な運転ができる。
【００２３】
第４の発明は、中央に吸込み口を、その吸込み口の周囲に吹出し口をそれぞれ配したパネルと、吹出し温度を検出する室内吹出し温度検出手段と、室内吸込み温度を検出する室内吸込み温度検出手段とを有し、暖房運転中に、前記室内吹出し温度検出手段が検出した吹出し温度が所定の温度Ｔ１以下で、且つ前記室内吸込み温度検出手段が検出した室内吸込み温度と前記吹出し温度との差が所定の温度差Ｋ１以下となった場合に、前記吹出し口から吹出した空気を前記吸込み口に導くショートサーキットを発生させ、前記吹出し温度
検出手段が検出した吹出し温度が前記所定の温度Ｔ１以上となった時に、前記吹出し口から吹出した空気を外周方向へ導くもので、冬季の低外気温での暖房運転時において、室外熱交換器の着霜等による蒸発能力低下の影響を受けて、凝縮温度が低下し吹出し温度と室内吸込み温度との差が小さくなり且つ、吹出し温度が低くなった場合には、ショートサーキットによりコールドドラフト現象を防止できると共に、吹出し温度を素早く上昇させることができる。また、吹出し温度を監視してショートサーキットを回避できるので、素早く設定温度に到達させることができる。  
【００２４】
第５の発明は、中央に吸込み口を、その吸込み口の周囲に吹出し口をそれぞれ配したパネルと、吹出し温度を検出する室内吹出し温度検出手段と、室内吸込み温度を検出する室内吸込み温度検出手段と、前記吹出し口から吹出した空気を前記吸込み口に導くショートサーキットの運転時間を計時するショートサーキットタイマーとを有し、暖房運転中に、前記室内吹出し温度検出手段が検出した吹出し温度が所定の温度Ｔ１以下で、且つ前記室内吸込み温度検出手段が検出した室内吸込み温度と前記吹出し温度との差が所定の温度差Ｋ１以下となった場合に、前記ショートサーキットタイマーを起動するとともに、前記ショートサーキットを発生させ、前記ショートサーキットタイマーが所定の時間を計時し終えると、前記吹出し口から吹出した空気を外周方向へ導くもので、冬季の低外気温での暖房起動時において、室外熱交換器の着霜等による蒸発能力低下の影響を受けて、凝縮温度が低下し吹出し温度と室内吸込み温度との差が小さくなり且つ、吹出し温度が低くなった場合には、ショートサーキットによりコールドドラフト現象を防止できると共に、吹出し温度を素早く上昇させることができる。また、所定の時間を経過すると、ショートサーキットを回避するので、圧縮機に異常な負荷をかけることなく素早く設定温度に到達させることができる。
【００２５】
第６の発明は、中央に吸込み口を、その吸込み口の周囲に吹出し口をそれぞれ配したパネルと、吹出し温度を検出する室内吹出し温度検出手段と、室内吸込み温度を検出する室内吸込み温度検出手段と、室内熱交換器温度を検出する室内熱交換器温度検出手段とを有し、暖房運転中に、前記室内吹出し温度検出手段が検出した吹出し温度が所定の温度Ｔ１以下で、且つ前記室内吸込み温度検出手段が検出した室内吸込み温度と前記吹出し温度との差が所定の温度差Ｋ１以下となった場合に、前記吹出し口から吹出した空気を前記吸込み口に導くショートサーキットを発生させ、前記室内熱交換器温度検出手段が検出した室内熱交換器温度が所定の温度Ｔ２以上となった時に、前記吹出し口から吹出した空気を外周方向へ導くもので、冬季の低外気温での暖房起動時において、室外熱交換器の着霜等による蒸発能力低下の影響を受けて、凝縮温度が低下し吹出し温度と室内吸込み温度との差が小さくなり且つ、吹出し温度が低くなった場合には、ショートサーキットによりコールドドラフト現象を防止できると共に、吹出し温度を素早く上昇させることができる。また、室内熱交換器温度を監視してショートサーキットを回避できるので、圧縮機に異常な負荷をかけることなく良好な運転ができる。
【００２６】
第７の発明は、中央に吸込み口を、その吸込口の周囲に吹出し口をそれぞれ配したパネルと、室内熱交換器温度を検出する室内熱交換器温度検出手段を有し、暖房運転中に室内熱交換器温度が所定の温度Ｔ２以下となった場合に、前記吹出し口から吹出した空気を前記吸込み口に導くショートサーキットを発生させ、前記室内熱交換器温度が前記所定の温度Ｔ２以上となった時に、前記吹出し口から吹出した空気を外周方向へ導くもので、冬季の低外気温での暖房運転時において、室外熱交換器の着霜等による蒸発能力低下の影響を受けて、室内熱交換器温度が低下した場合には、室内吹出し温度も低下するため、ショートサーキットによりコールドドラフト現象を防止できると共に、室内熱交換器温度を素早く上昇させることができる。また、室内熱交換器温度を監視してショートサーキットを回避できるので、素早く設定温度に到達させることができる。
【００２７】
第８の発明は、中央に吸込み口を、その吸込み口の周囲に吹出し口をそれぞれ配したパネルと、室内熱交換器温度を検出する室内熱交換器温度検出手段と、前記吹出し口から吹出した空気を前記吸込み口に導くショートサーキットの運転時間を計時するショートサーキットタイマーとを有し、暖房運転中に、前記室内熱交換器温度が所定の温度Ｔ２以下となった場合に、前記ショートサーキットタイマーを起動するとともに、前記ショートサーキットを発生させ、前記ショートサーキットタイマーが所定の時間を計時し終えると、前記吹出し口から吹出した空気を外周方向へ導くもので、冬季の低外気温での暖房運転時において、室外熱交換器の着霜等による蒸発能力低下の影響を受けて、室内熱交換器温度が低下した場合には、室内吹出し温度も低下するため、ショートサーキットによりコールドドラフト現象を防止できると共に、室内熱交換器温度を素早く上昇させることができる。また、所定の時間を経過すると、ショートサーキットを回避するので、圧縮機に異常な負荷をかけることなく素早く設定温度に到達させることができる。
【００２８】
第９の発明は、中央に吸込み口を、その吸込み口の周囲に吹出し口をそれぞれ配したパネルと、吐出圧力を検出する吐出圧力検出手段を有し、暖房運転中に、前記吐出圧力が所定の圧力以下となった場合に、前記吹出し口から吹出した空気を前記吸込み口に導くショートサーキットを発生させることにより前記吐出圧力を上昇させ、前記吐出圧力が所定の圧力以上となった時に、前記吹出し口から吹出した空気を外周方向へ導くもので、冬季の低外気温での暖房運転時において、室外熱交換器の着霜等による蒸発能力低下の影響を受けて、吐出圧力が低下した場合には、ショートサーキットによりコールドドラフト現象を防止できると共に、吐出圧力を素早く上昇させることができる。また、圧力監視により温度検知に比べて応答性が良化するため、圧縮機に異常な負荷をかけることがない上に、快適な空間を提供できる。
【００２９】
第１０の発明は、中央に吸込み口を、その吸込み口の周囲に吹出し口をそれぞれ配したパネルと、吐出圧力を検出する吐出圧力検出手段と、前記吹出し口から吹出した空気を前記吸込み口に導くショートサーキットの運転時間を計時するショートサーキットタイマーとを有し、暖房運転中に、前記吐出圧力が所定の圧力以下となった場合に、前記ショートサーキットタイマーを起動するとともに、前記ショートサーキットを発生させることにより前記吐出圧力を上昇させ、前記ショートサーキットタイマーが所定の時間を計時し終えると、前記吹出し口から吹出した空気を外周方向へ導くもので、冬季の低外気温での暖房運転時において、室外熱交換器の着霜等による蒸発能力低下の影響を受けて、吐出圧力が低下した場合には、ショートサーキットによりコールドドラフト現象を防止できると共に、吐出圧力を素早く上昇させることができる。また、圧力監視により温度検知に比べて応答性が良化するため、圧縮機に異常な負荷をかけることがない上に、快適な空間を提供できる。
【００３０】
第１１の発明は、特に、第１〜１０のいずれか一つの発明の暖房運転中に、吸い込み温度が所定の温度Ｔ３以上の場合は、ショートサーキットさせることなく吹出し口から吹出した空気を外周方向へ導くもので、冬季の低外気温での暖房運転中においては、ショートサーキットにより素早く設定温度に到達させることができると共に、暖房運転時間や凝縮温度、吹出し温度等を監視しショートサーキットを回避できるので、圧縮機に異常な負荷をかけることなく良好な運転ができる。また、吸い込み負荷が小さい場合の暖房運転時においては、ショートサーキットさせることなく前記パネルから吹出した空気を外周方向へ導くことから、圧縮機に必要以上の負荷をかけることなく快適空間を提供することができる。
【００３１】
第１２の発明は、特に、第１〜１０のいずれか一つの発明の天井埋込形空気調和機において、室内温度を設定するリモコンを有し、暖房運転中に、前記リモコンの設定温度と吸い込み温度が所定の温度差Ｋ２以下の場合は、ショートサーキットさせることなく吹出し
口から吹出した空気を外周方向へ導くもので、冬季の低外気温での暖房運転中においては、ショートサーキットにより素早く設定温度に到達させることができると共に、暖房運転時間や凝縮温度、吹出し温度等を監視しショートサーキットを回避できるので、圧縮機に異常な負荷をかけることなく良好な運転ができる。また、吸い込み温度とリモコン設定温度との差が小さく、サイクル負荷が軽い場合の暖房運転時においては、ショートサーキットさせることなく前記パネルから吹出した空気を外周方向へ導くことから、圧縮機に必要以上の負荷をかけることなく快適空間を提供することができる。
【００３２】
第１３の発明は、特に、第１〜１０のいずれか一つの発明の天井埋込形空気調和機において、外気温度を検出する外気温度検出手段を有し、暖房運転中に、前記外気温度検出手段が検出した外気温度が所定の温度Ｔ４以上の場合は、ショートサーキットさせることなく吹出し口から吹出した空気を外周方向へ導くもので、冬季の低外気温での暖房運転中においては、ショートサーキットにより素早く設定温度に到達させることができると共に、暖房運転時間や凝縮温度、吹出し温度等を監視しショートサーキットを回避できるので、圧縮機に異常な負荷をかけることなく良好な運転ができる。また、外気温度が高い場合の暖房運転時においては、ショートサーキットさせることなく前記パネルから吹出した空気を外周方向へ導くことから、圧縮機に必要以上の負荷をかけることなく快適空間を提供することができる。
【００３３】
以下、本発明の実施の形態について、図面を参照しながら説明する。なお、この実施の形態によって本発明が限定されるものではない。
【００３４】
（実施の形態１）
図１は、本発明の第１の実施の形態における天井埋込形空気調和機の概略構成を示す断面図、図２は、同天井埋込形空気調和機の冷凍サイクル図、図３は、同天井埋込形空気調和機のの制御方法を示すフローチャートである。
【００３５】
図１、２において、本実施の形態における天井埋込形空気調和機は、室外機１５と、その室外機１５に接続されると共に天井に設置された室内機１から構成されている。室内機１は、室内熱交換器２と、室内ファン３と、パネル４から構成されている。パネル４の中央には、吸込み口５が設けられ、その吸込み口５の周囲には、風向変更板（図示せず）を備えた吹出し口６が設けられ、吹出し口６は、運転状態に応じてショートサーキット方向と外周方向のどちらへも風を導くことができる構成となっている。
【００３６】
室外機１５は、圧縮機１１と、四方弁１４と、室外熱交換器１２と、減圧装置１３とから構成されている。１６は、室内機１の吹出し温度を検出する室内吹出し温度検出手段である。
【００３７】
以上のように構成された本実施の形態における天井埋込形空気調和機のプログラムの動作について、図３のフローチャートに従って説明する。
【００３８】
まず暖房運転開始した際に、ＳＴＥＰ１で室内吹出し温度検出手段１６が室内吹出し温度Ｔｏｕｔ１を検出し、ＳＴＥＰ２で室内吹出し温度Ｔｏｕｔ１が所定の温度Ｔ１以上あればＳＴＥＰ３に進み、所定の温度Ｔ１未満であればＳＴＥＰ４に進む。
【００３９】
ＳＴＥＰ３では、吹出し口６からの空気を外周部へ吹出すように変更しＳＴＥＰ１へ戻り、ＳＴＥＰ４では、素早く目標温度に近づけるように吹出し口６をショートサーキットさせてＳＴＥＰ１へ戻る。
【００４０】
以上のように本実施の形態によれば、暖房運転中の室内吹出し温度を常時監視できるこ
とから、コールドドラフト現象によるユーザの不快感を回避でき、常に快適な空間を作り出すことができる。
【００４１】
（実施の形態２）
図４は、本発明の第２の実施の形態における天井埋込形空気調和機の冷凍サイクル図であり、図５は、同天井埋込形空気調和機の制御方法を示すフローチャートである。
【００４２】
本実施の形態における天井埋込形空気調和機は、図４、５に示すように、ショートサーキット運転時間を計時するショートサーキットタイマー１７を設けたもので、他の構成は、上記第１の実施の形態における天井埋込形空気調和機と同一により、同一部分については、同一符号を付してその説明を省略する。
【００４３】
以上のように構成された本実施の形態における天井埋込形空気調和機のプログラムの動作を、図５のフローチャートに従って説明する。
【００４４】
まず暖房運転開始した際にＳＴＥＰ１で、室内吹出し温度検出手段１６が室内吹出し温度Ｔｏｕｔ１を検出し、ＳＴＥＰ２で室内吹出し温度Ｔｏｕｔ１が所定の温度Ｔ１以上あればＳＴＥＰ３に進み、所定の温度Ｔ１未満であればＳＴＥＰ５に進む。
【００４５】
ＳＴＥＰ３では、吹出し口６からの空気を外周部へ吹出すように変更しＳＴＥＰ１へ戻り、ＳＴＥＰ５では、ショートサーキットタイマー１７を起動して、ショートサーキット時間（ｓｓ＿Ｔｉｍｅ）の計時を開始し、ＳＴＥＰ４で素早く目標温度に近づけるように吹出し口６をショートサーキットさせてＳＴＥＰ６へ進む。
【００４６】
ＳＴＥＰ６ではショートサーキット時間（ｓｓ＿Ｔｉｍｅ）が所定の時間Ｔｉｍｅ１を経過したか否かを判定し、所定の時間Ｔｉｍｅ１を経過していればＳＴＥＰ７でショートサーキットタイマー１７をリセットしてＳＴＥＰ３へ移行し、所定の時間Ｔｉｍｅ１を経過していなければ、ＳＴＥＰ４へ戻る。
【００４７】
以上のように本実施の形態によれば、暖房運転中の室内吹出し温度が低いときに、所定の時間だけショートサーキット運転することから、コールドドラフト現象によるユーザの不快感を回避できると共に、圧縮機１１に異常な負担をかけることがないため、常に快適な空間を作り出すことができる。
【００４８】
（実施の形態３）
図６は、本発明の第３の実施の形態における天井埋込形空気調和機の冷凍サイクル図であり、図７は、同天井埋込形空気調和機の制御方法を示すフローチャートである。
【００４９】
本実施の形態における天井埋込形空気調和機は、図６に示すように、室内熱交換器２の温度を検知する室内熱交換器温度検出手段１８を設けたもので、他の構成は、上記第１の実施の形態における天井埋込形空気調和機と同一により、同一部分については、同一符号を付してその説明を省略する。
【００５０】
以上のように構成された本実施の形態における天井埋込形空気調和機のプログラムの動作について、図７のフローチャートに従って説明する。
【００５１】
まず暖房運転開始した際に、ＳＴＥＰ１で室内吹出し温度検出手段１６が、室内吹出し温度Ｔｏｕｔ１を検出し、ＳＴＥＰ２で室内吹出し温度Ｔｏｕｔ１が所定の温度Ｔ１以上あればＳＴＥＰ３に進み、所定の温度Ｔ１未満であればＳＴＥＰ４に進む。
【００５２】
ＳＴＥＰ３では、吹出し口６からの空気を外周部へ吹出すように変更しＳＴＥＰ１へ戻り、ＳＴＥＰ４では、素早く目標温度に近づけるように吹出し口６をショートサーキットさせてＳＴＥＰ８へ進む。
【００５３】
ＳＴＥＰ８では、室内熱交換器温度検出手段１８が室内熱交換器温度Ｔｃ１を検出し、ＳＴＥＰ９で、室内熱交換器温度Ｔｃ１が所定の温度Ｔ２へ到達したか否かを判定する。室内熱交換器温度Ｔｃ１が、所定の温度Ｔ２へ到達していない場合はＳＴＥＰ８へ戻り、室内熱交換器温度Ｔｃ１が所定の温度Ｔ２へ到達した場合は、ＳＴＥＰ３へ進む。
【００５４】
以上のように本実施の形態によれば、暖房運転中の室内吹出し温度が低いときにショートサーキット運転することから、コールドドラフト現象によるユーザの不快感を回避できると共に、運転中の凝縮温度を常に監視できることから、圧縮機１１に異常な負担をかけることがなく、常に快適な空間を作り出すことができる。
【００５５】
（実施の形態４）
図８は、本発明の第４の実施の形態における天井埋込形空気調和機の冷凍サイクル図であり、図９は、同天井埋込形空気調和機の制御方法を示すフローチャートである。
【００５６】
本実施の形態における天井埋込形空気調和機は、図８に示すように、室内吸込み温度を検出する室内吸込み温度検出手段１９を設けたもので、他の構成は、上記第１の実施の形態における天井埋込形空気調和機と同一により、同一部分については、同一符号を付してその説明を省略する。
【００５７】
以上のように構成された本実施の形態における天井埋込形空気調和機のプログラムの動作を、図９のフローチャートに従って説明する。
【００５８】
まず暖房運転開始した際に、ＳＴＥＰ１で室内吹出し温度検出手段１６が室内吹出し温度Ｔｏｕｔ１を検出し、ＳＴＥＰ１０で、室内吸込み温度検出手段１９が室内吸込み温度Ｔｉｎ１を検出し、ＳＴＥＰ２に進む。
【００５９】
ＳＴＥＰ２で、室内吹出し温度Ｔｏｕｔ１が所定の温度Ｔ１以上あればＳＴＥＰ３に進み、所定の温度Ｔ１未満であればＳＴＥＰ１１に進む。
【００６０】
ＳＴＥＰ３では、吹出し口６からの空気を外周部へ吹出すように変更しＳＴＥＰ１へ戻り、ＳＴＥＰ１１では、室内吹出し温度Ｔｏｕｔ１と室内吸込み温度Ｔｉｎ１との差が所定の温度差Ｋ１以下であればＳＴＥＰ４へ進み、所定の温度差Ｋ１よりも大きければＳＴＥＰ３へ進む。ＳＴＥＰ４では素早く目標温度に近づけるように吹出し口６をショートサーキットさせてＳＴＥＰ１へ戻る。
【００６１】
以上のように本実施の形態によれば、暖房運転中の室内吹出し温度を常時監視できると共に、室内吸込み温度と室内吹出し温度の差が十分に確保できているのかを常時監視できることから、コールドドラフト現象によるユーザの不快感を回避でき、常に快適な空間を作り出すことができる。
【００６２】
（実施の形態５）
図１０は、本発明の第５の実施の形態における天井埋込形空気調和機の冷凍サイクル図であり、図１１は、同天井埋込形空気調和機の制御方法を示すフローチャートである。
【００６３】
本実施の形態における天井埋込形空気調和機制御装置は、図１０に示すように室内吸込み温度を検出する室内吸込み温度検出手段１９を設けたもので、他の構成は、上記第２の
実施の形態における天井埋込形空気調和機と同一により、同一部分については、同一符号を付してその説明を省略する。
【００６４】
以上のように構成された天井埋込形空気調和機のプログラムの動作について、図１１のフローチャートに従って説明する。
【００６５】
まず暖房運転開始した際に、ＳＴＥＰ１で室内吹出し温度検出手段１６が室内吹出し温度Ｔｏｕｔ１を検出し、ＳＴＥＰ１０で、室内吸込み温度検出手段１９が室内吸込み温度Ｔｉｎ１を検出し、ＳＴＥＰ２に進む。
【００６６】
ＳＴＥＰ２で室内吹出し温度Ｔｏｕｔ１が所定の温度Ｔ１以上あればＳＴＥＰ３に進み、所定の温度Ｔ１未満であればＳＴＥＰ１１に進む。  
【００６７】
ＳＴＥＰ３では、吹出し口６からの空気を外周部へ吹出すように変更しＳＴＥＰ１へ戻り、ＳＴＥＰ１１では、室内吹出し温度Ｔｏｕｔ１と室内吸込み温度Ｔｉｎ１との差が、所定の温度差Ｋ１以下であればＳＴＥＰ５へ進み、所定の温度差Ｋ１よりも大きければＳＴＥＰ３へ進む。
【００６８】
ＳＴＥＰ５では、ショートサーキットタイマー１７を起動して、ショートサーキット時間（ｓｓ＿Ｔｉｍｅ）の計時を開始し、ＳＴＥＰ４で素早く目標温度に近づけるように吹出し口６をショートサーキットさせてＳＴＥＰ６へ進む。
【００６９】
ＳＴＥＰ６ではショートサーキット時間（ｓｓ＿Ｔｉｍｅ）が所定の時間Ｔｉｍｅ１を経過したか否かを判定し、所定の時間Ｔｉｍｅ１を経過していればＳＴＥＰ７でショートサーキットタイマー１１をリセットして、ＳＴＥＰ３へ移行し、所定の時間Ｔｉｍｅ１を経過していなければ、ＳＴＥＰ４へ戻る。
【００７０】
以上のように本実施の形態によれば、暖房運転中の室内吹出し温度を常時監視できると共に、室内吸込み温度と室内吹出し温度の差が十分に確保できているのかを常時監視し、室内吹出し温度が低く、且つ吸込み温度と吹出し温度の差温が小さいときのみ所定の時間だけショートサーキット運転し吹出し温度を上昇させることから、コールドドラフト現象によるユーザの不快感を回避できると共に、圧縮機１１に異常な負担をかけることがないため、常に快適な空間を作り出すことができる。
【００７１】
（実施の形態６）
図１２は、本発明の第６の実施の形態における天井埋込形空気調和機の冷凍サイクル図であり、図１３は、同天井埋込形空気調和機の制御方法を示すフローチャートである。
【００７２】
本実施の形態における天井埋込形空気調和機は、図１２に示すように室内吸込み温度を検出する室内吸込み温度検出手段１９を設けたもので、他の構成は、上記第３の実施の形態における天井埋込形空気調和機と同一により、同一部分については、同一符号を付してその説明を省略する。
【００７３】
以上のように構成された本実施の形態における天井埋込形空気調和機のプログラムの動作について、図１３のフローチャートに従って説明する。
【００７４】
まず暖房運転開始した際に、ＳＴＥＰ１で室内吹出し温度検出手段１６が室内吹出し温度Ｔｏｕｔ１を検出し、ＳＴＥＰ１０で室内吸込み温度検出手段１９が室内吸込み温度Ｔｉｎ１を検出し、ＳＴＥＰ２に進む。
【００７５】
ＳＴＥＰ２で、室内吹出し温度Ｔｏｕｔ１が所定の温度Ｔ１以上あればＳＴＥＰ３に進み、所定の温度Ｔ１未満であればＳＴＥＰ１１に進む。
【００７６】
ＳＴＥＰ３では、吹出し口６からの空気を外周部へ吹出すように変更しＳＴＥＰ１へ戻り、ＳＴＥＰ１１では、室内吹出し温度Ｔｏｕｔ１と室内吸込み温度Ｔｉｎ１との差が所定の温度差Ｋ１以下であれば、ＳＴＥＰ４へ進み、所定の温度差Ｋ１よりも大きければＳＴＥＰ３へ進む。
【００７７】
ＳＴＥＰ４では、素早く目標温度に近づけるように吹出し口６をショートサーキットさせてＳＴＥＰ８へ進む。
【００７８】
ＳＴＥＰ８では、室内熱交換器温度検出手段１８が、室内熱交換器温度Ｔｃ１を検出し、ＳＴＥＰ９で、室内熱交換器温度Ｔｃ１が所定の温度Ｔ２へ到達したか否かを判定する。室内熱交換器温度Ｔｃ１が所定の温度Ｔ２へ到達していない場合はＳＴＥＰ８へ戻り、室内熱交換器温度Ｔｃ１が所定の温度Ｔ２へ到達した場合は、ＳＴＥＰ３へ進む。
【００７９】
以上のように本実施の形態によれば、暖房運転中の室内吹出し温度を常時監視できると共に、室内吸込み温度と室内吹出し温度の差が十分に確保できているのかを常時監視できることから、コールドドラフト現象によるユーザの不快感を回避できると共に、運転中の凝縮温度を常に監視できることから、圧縮機１１に異常な負担をかけることがないため、常に快適な空間を作り出すことができる。
【００８０】
（実施の形態７）
図１４は、本発明の実施の形態７における天井埋込形空気調和機の制御方法を示すフローチャートである。尚、本実施の形態における天井埋込形空気調和機の冷凍サイクル図は、実施の形態３（図６）と同一で、制御方法のみ異なるもので、同一部分については、同一符号を付してその説明を省略する。
【００８１】
本実施の形態における天井埋込形空気調和機のプログラムの動作について、以下、図１９のフローチャートに従って説明する。
【００８２】
まず暖房運転開始した際に、ＳＴＥＰ８で室内熱交換器温度検出手段１６が室内熱交換器温度Ｔｃ１を検出し、ＳＴＥＰ９で、室内熱交換器温度Ｔｃ１が所定の温度Ｔ２以上あればＳＴＥＰ３に進み、所定の温度Ｔ２未満であればＳＴＥＰ４に進む。
【００８３】
ＳＴＥＰ３では、吹出し口６からの空気を外周部へ吹出すように変更しＳＴＥＰ８へ戻り、ＳＴＥＰ４では、素早く目標温度に近づけるように吹出し口６をショートサーキットさせてＳＴＥＰ８へ戻る。
【００８４】
以上のように本実施の形態によれば、暖房運転中の室内熱交換器温度から吹出し温度が予測できることから、室内熱交換器温度の監視によりコールドドラフト現象によるユーザの不快感を回避でき、常に快適な空間を作り出すことができる。
【００８５】
（実施の形態８）
図１５は、本発明の第８の実施の形態における天井埋込形空気調和機の冷凍サイクル図であり、図１６は、同天井埋込形空気調和機の制御方法を示すフローチャートである。
【００８６】
本実施の形態における天井埋込形空気調和機は、図１５に示すように、ショートサーキット運転時間を計時するショートサーキットタイマー１７と、室内熱交換器２の温度を検出する室内熱交換器温度検出手段１８を設けたもので、他の構成は、上記第１の実施の形
態における天井埋込形空気調和機と同一により、同一部分については、同一符号を付してその説明を省略する。
【００８７】
以上のように構成された本実施の形態における天井埋込形空気調和機のプログラムの動作を図１６のフローチャートに従って説明する。
【００８８】
まず暖房運転開始した際に、ＳＴＥＰ８で室内熱交換器温度検出手段８が室内熱交換器温度Ｔｃ１を検出し、ＳＴＥＰ９で室内熱交換器温度Ｔｃ１が所定の温度Ｔ２以上あればＳＴＥＰ３に進み、所定の温度Ｔ２未満であればＳＴＥＰ５に進む。
【００８９】
ＳＴＥＰ３では、吹出し口６からの空気を外周部へ吹出すように変更しＳＴＥＰ８へ戻り、ＳＴＥＰ５では、ショートサーキットタイマー１７を起動して、ショートサーキット時間（ｓｓ＿Ｔｉｍｅ）の計時を開始し、ＳＴＥＰ４で素早く目標温度に近づけるように吹出し口６をショートサーキットさせてＳＴＥＰ６へ進む。
【００９０】
ＳＴＥＰ６では、ショートサーキット時間（ｓｓ＿Ｔｉｍｅ）が所定の時間Ｔｉｍｅ１を経過したか否かを判定し、所定の時間Ｔｉｍｅ１を経過していればＳＴＥＰ７でショートサーキットタイマー１７をリセットしてＳＴＥＰ３へ移行し、所定の時間Ｔｉｍｅ１を経過していなければ、ＳＴＥＰ４へ戻る。
【００９１】
以上のように本実施の形態によれば、暖房運転中の室内熱交換器温度が低いときに所定の時間だけショートサーキット運転することから、コールドドラフト現象によるユーザの不快感を回避できると共に、圧縮機１１に異常な負担をかけることがないため、常に快適な空間を作り出すことができる。
【００９２】
（実施の形態９）
図１７は、本発明の第９の実施の形態における天井埋込形空気調和機の冷凍サイクル図であり、図１８は、同天井埋込形空気調和機の制御方法を示すフローチャートである。
【００９３】
本実施の形態における天井埋込形空気調和機は、図１７に示すように、吐出圧力を検知する吐出圧力検出手段２２を設けたもので、他の構成は、上記第１の実施の形態における天井埋込形空気調和機と同一により、同一部分については、同一符号を付してその説明を省略する。
【００９４】
以上のように構成された本実施の形態における天井埋込形空気調和機のプログラムの動作を、図１８のフローチャートに従って説明する。
【００９５】
まず暖房運転開始した際に、ＳＴＥＰ１７で吐出圧力検出手段２２が吐出圧力Ｐｄ１を検出し、ＳＴＥＰ１８で吐出圧力Ｐｄ１が所定の圧力Ｐ１以上あればＳＴＥＰ３に進み、所定の圧力Ｐ１未満であればＳＴＥＰ４に進む。
【００９６】
ＳＴＥＰ３では、吹出し口６からの空気を外周部へ吹出すように変更しＳＴＥＰ１７へ戻り、ＳＴＥＰ４では、素早く目標温度に近づけるように吹出し口６をショートサーキットさせてＳＴＥＰ１７へ戻る。
【００９７】
以上のように本実施の形態によれば、暖房運転中の吐出圧力から吹出し温度が予測できることから、吐出圧力の監視によりコールドドラフト現象によるユーザの不快感を回避でき、常に快適な空間を作り出すことができる。また、圧力監視により温度検知に比べて応答性が良化するため、圧縮機１１に異常な負荷をかけることがなく良好な運転ができる。
【００９８】
（実施の形態１０）
図１９は、本発明の第１０の実施の形態における天井埋込形空気調和機の冷凍サイクル図であり、図２０は、同天井埋込形空気調和機の制御方法を示すフローチャートである。
【００９９】
本実施の形態における天井埋込形空気調和機は、図１９に示すように、ショートサーキット時間を計時するショートサーキットタイマー１７を設けたもので、他の構成は、上記第９の実施の形態における天井埋込形空気調和機と同一により、同一部分については、同一符号を付してその説明を省略する。
【０１００】
以上のように構成された本実施の形態における天井埋込形空気調和機のプログラムの動作について、図２０のフローチャートに従って説明する。
【０１０１】
まず暖房運転開始した際にＳＴＥＰ１７で吐出圧力検出手段２２が吐出圧力Ｐｄ１を検出し、ＳＴＥＰ１８で吐出圧力Ｐｄ１が所定の圧力Ｐ１以上あればＳＴＥＰ３に進み、所定の圧力Ｐｄ１未満であればＳＴＥＰ５に進む。
【０１０２】
ＳＴＥＰ３では、吹出し口６からの空気を外周部へ吹出すように変更しＳＴＥＰ１７へ戻り、ＳＴＥＰ５では、ショートサーキットタイマー１７を起動して、ショートサーキット時間（ｓｓ＿Ｔｉｍｅ）の計時を開始し、ＳＴＥＰ４で素早く目標温度に近づけるように吹出し口６をショートサーキットさせてＳＴＥＰ６へ進む。
【０１０３】
ＳＴＥＰ６では、ショートサーキット時間（ｓｓ＿Ｔｉｍｅ１）が所定の時間Ｔｉｍｅ１を経過したか否かを判定し、所定の時間Ｔｉｍｅ１を経過していればＳＴＥＰ７でショートサーキットタイマー１７をリセットしてＳＴＥＰ３へ移行し、所定の時間Ｔｉｍｅ１を経過していなければ、ＳＴＥＰ４へ戻る。
【０１０４】
以上のように、本実施の形態によれば、暖房運転中の吐出圧力が低いときに所定の時間だけショートサーキット運転することから、コールドドラフト現象によるユーザの不快感を回避できると共に、圧縮機１１に異常な負担をかけることがないため、常に快適な空間を作り出すことができる。
【０１０５】
（実施の形態１１）
図２１は、本発明の第１１の実施の形態における天井埋込形空気調和機の制御方法を示すフローチャートである。尚、本実施の形態における天井埋込形空気調和機の冷凍サイクル図は、上記第４の実施の形態における天井埋込形空気調和機（図８）と同一により、同一符号を付してその説明を省略する。
【０１０６】
以下に、本実施の形態における空気調和機制御装置のプログラムの動作について、図２１のフローチャートに従って説明する。
【０１０７】
まず暖房運転開始した際にＳＴＥＰ１０で、室内吸込み温度検出手段１９が室内吸込み温度Ｔｉｎ１を検出し、ＳＴＥＰ１２で室内吸込み温度Ｔｉｎ１が所定の温度Ｔ３以上あればＳＴＥＰ３に進み、所定の温度Ｔ３未満であればＳＴＥＰ１に進む。
【０１０８】
ＳＴＥＰ１で、室内吹出し温度検出手段１６が室内吹出し温度Ｔｏｕｔ１を検出し、ＳＴＥＰ２で室内吹出し温度Ｔｏｕｔ１が、所定の温度Ｔ１以上であればＳＴＥＰ３に進み、所定の温度Ｔ１未満であればＳＴＥＰ４に進む。
【０１０９】
ＳＴＥＰ３では、吹出し口６からの空気を外周部へ吹出すように変更しＳＴＥＰ１０へ戻り、ＳＴＥＰ４では、素早く目標温度に近づけるように吹出し口６をショートサーキッ
トさせてＳＴＥＰ１０へ戻る。
【０１１０】
以上のように本実施の形態によれば、暖房運転中に吸込み温度が高い場合においては、ショートサーキットさせないため、圧縮機１１に異常な負荷をかけることなく良好な運転ができる。
【０１１１】
（実施の形態１２）
図２２は、本発明の第１２の実施の形態における天井埋込形空気調和機の冷凍サイクル図であり、図２３は、同天井埋込形空気調和機の制御方法を示すフローチャートである。
【０１１２】
本実施の形態における天井埋込形空気調和機は、図２２に示すように、室内温度を設定できるリモコン２０を設けたもので、他の構成は、上記第１の実施の形態における天井埋込形空気調和機と同一により、同一部分については、同一符号を付してその説明を省略する。
【０１１３】
以上のように構成された本実施の形態における天井埋込形空気調和機のプログラムの動作について、図２３のフローチャートに従って説明する。
【０１１４】
まず暖房運転開始した際に、ＳＴＥＰ１０で、室内吸込み温度検出手段１９が、室内吸込み温度Ｔｉｎ１を検出し、ＳＴＥＰ１３で、リモコン２０で設定されたリモコン設定温度Ｒｉ１を検出しＳＴＥＰ１４へ進む。
【０１１５】
ＳＴＥＰ１４では、室内吸込み温度Ｔｉｎ１とリモコン設定温度Ｒｉｎ１の差を演算し、その解が、所定の温度差Ｋ２以下であればＳＴＥＰ３に進み、所定の温度差Ｋ２以下でなければＳＴＥＰ１に進む。
【０１１６】
ＳＴＥＰ１で室内吹出し温度検出手段１６が、室内吹出し温度Ｔｏｕｔ１を検出し、ＳＴＥＰ２で室内吹出し温度Ｔｏｕｔ１が所定の温度Ｔ１以上あればＳＴＥＰ３に進み、所定の温度Ｔ１未満であればＳＴＥＰ４に進む。
【０１１７】
ＳＴＥＰ３では、吹出し口６からの空気を外周部へ吹出すように変更しＳＴＥＰ１０へ戻り、ＳＴＥＰ４では、素早く目標温度に近づけるように吹出し口６をショートサーキットさせてＳＴＥＰ１０へ戻る。
【０１１８】
以上のように本実施の形態によれば、暖房運転中の室内負荷が小さければ運転状態にかかわらず、ショートサーキットさせないため、圧縮機１１に異常な負荷をかけることなく良好な運転ができる。
【０１１９】
（実施の形態１３）
図２４は、本発明の第１３の実施の形態における天井埋込形空気調和機の冷凍サイクル図であり、図２５は、同天井埋込形空気調和機の制御方法を示すフローチャートである。
【０１２０】
本実施の形態における天井埋込形空気調和機は、図２４に示すように、外気温を検出する外気温度検出手段２１を設けたもので、他の構成は、上記第１〜第６の実施の形態における天井埋込形空気調和機と同一により、同一部分については、同一符号を付してその説明を省略する。
【０１２１】
以上のように構成された本実施の形態における天井埋込形空気調和機のプログラムの動作について、図２５のフローチャートに従って説明する。
【０１２２】
まず暖房運転開始した際に、ＳＴＥＰ１５で外気温度検出手段２１が外気温度Ｔｏｕｔ１を検出し、ＳＴＥＰ１６へ進む。ＳＴＥＰ１６で、外気温度Ｔｏｕｔ１が所定の温度Ｔ４以上の場合ＳＴＥＰ３へ進み、所定の温度Ｔ４未満の場合は、ＳＴＥＰ１へ進み、上記実施の形態１〜６で述べたような動作を行う。
【０１２３】
以上のように本実施の形態によれば、暖房起動時に外気温度が高い場合においては、ショートサーキットさせないため、圧縮機１１に異常な負荷をかけることなく良好な運転ができる。
【産業上の利用可能性】
【０１２４】
本発明の天井埋込形空気調和機は、暖房運転時の室内及び室外の負荷を判断することによりショートサーキットするか否かを判断し、ショートサーキットする際には、運転中に冷凍サイクルの監視によりショートサーキットを解除するため、低外気温度での暖房運転時においてもコールドドラフト現象の発生や冷凍サイクルの大幅な乱れを防ぐことができるので、家庭用の天井埋込形空気調和機に適用できると共に、特に多室型空気調和機の運転台数変化時に大きな効果を得ることができるものである。
【符号の説明】
【０１２５】
１  室内機
２  室内熱交換器
３  室内ファン
４  パネル
５  吸込み口
６  吹出し口
１１  圧縮機
１２  室外熱交換器
１３  減圧装置
１４  四方弁
１５  室外機
１６  室内吹出し温度検出手段
１７  ショートサーキットタイマー
１８  室内熱交換器温度検出手段
１９  室内吸込み温度検出手段
２０  リモコン
２１  外気温度検出手段
Ｔｏ１  室内吹出し温度
ｓｓ＿Ｔｉｍｅ  ショートサーキット時間
Ｔｃ１  室内熱交換器温度
Ｔｉｎ１  室内吸い込み温度
Ｒｉｎ１  リモコン設定温度
Ｔｏｕｔ１  外気温度
Ｋ１  所定の温度差
Ｔｉｍｅ１  所定の時間
【図２】
2011052848.tif 000003
【図３】
2011052848.tif 000004
【図４】
2011052848.tif 000005
【図８】
2011052848.tif 000006
【図１４】
2011052848.tif 000007
【図１５】
2011052848.tif 000008
【図１８】
2011052848.tif 000009
【図２１】
2011052848.tif 000010
【図２５】
2011052848.tif 000011
【図１】
2011052848.tif 000012
【図５】
2011052848.tif 000013
【図６】
2011052848.tif 000014
【図７】
2011052848.tif 000015
【図９】
2011052848.tif 000016
【図１０】
2011052848.tif 000017
【図１１】
2011052848.tif 000018
【図１２】
2011052848.tif 000019
【図１３】
2011052848.tif 000020
【図１６】
2011052848.tif 000021
【図１７】
2011052848.tif 000022
【図１９】
2011052848.tif 000023
【図２０】
2011052848.tif 000024
【図２２】
2011052848.tif 000025
【図２３】
2011052848.tif 000026
【図２４】
2011052848.tif 000027